(57)【要約】  【課題】  送ったハガキが一年を通して有効に活用されるようにする。  【解決手段】  ハガキＰの裏面２に暦２１を印刷しておく。ここで、ハガキＰの利用性や装飾性を上げる観点から、裏面２に暦２１と共に絵柄２２を印刷してもよく、この場合、裏面２の外周部に暦２１を印刷し、中央部に絵柄２２を印刷するのがよい。また本考案のハガキＰを年賀状として用いる場合には、絵柄２２としてその年の干支の絵柄とするのが好ましい。【選択図】      図１
0003101591.tif 000002
【実用新案登録請求の範囲】
【請求項１】
宛名書き面と反対側面に暦を印刷したことを特徴とするハガキ。
【請求項２】
前記反対側面に暦と共に絵柄を印刷した請求項１記載のハガキ。
【請求項３】
前記反対側面の外周部に暦を印刷し、中央部に前記絵柄を印刷した請求項２記載のハガキ。
【請求項４】
前記絵柄がその年の干支の絵柄である請求項２又は３記載のハガキ。
【考案の詳細な説明】
【技術分野】
【０００１】
本考案は暦付きのハガキに関するものである。
【背景技術】
【０００２】
年賀ハガキは、新年の祝うものとして友人・知人・恩師などに対して毎年多数枚送られている。しかし、送られきた年賀ハガキの多くは正月時期に見られた後はハガキホルダー等に収納され、再び見返されたり利用されることは、その年の年末に次の年の年賀状を書くまでは通常はない。
【特許文献１】特開平９−２９５４７２号公報（請求項３、図１、図２）
【考案の開示】
【考案が解決しようとする課題】
【０００３】
本考案はこのような現状に鑑みてなされたものであり、その目的とするところは、送ったハガキが一年を通して有効に活用されるようにすることにある。
【課題を解決するための手段】
【０００４】
本考案によれば、宛名書き面と反対側面に暦を印刷したことを特徴とするハガキが提供される。
【０００５】
ここで、ハガキの利用性や装飾性を上げる観点から、前記反対側面に暦と共に絵柄を印刷してもよく、この場合、前記反対側面の外周部に暦を印刷し、中央部に前記絵柄を印刷するのがよい。また本考案のハガキを年賀状として用いる場合には、前記絵柄としてその年の干支の絵柄とするのが好ましい。
【考案の効果】
【０００６】
本考案のハガキでは、宛名書き面と反対側面に暦を印刷しているので、ハガキを受け取った者は、例えば暦を印刷した面を外方にしてハガキを壁に貼ったり、机に立てておけば暦として長期間に渡って有効に活用できる。
【０００７】
反対側面に暦と共に絵柄を印刷すると、ハガキの利用性や装飾性が向上する。また反対側面の外周部に暦を印刷し、中央部に前記絵柄を印刷すると装飾性がさらに向上する。さらに本考案のハガキを年賀状として用いる場合に、絵柄としてその年の干支の絵柄とすると、年賀状の雰囲気を醸し出すことができると共に暦としての見栄えも向上する。
【考案を実施するための最良の形態】
【０００８】
本考案者は、ハガキの有効活用を図るべく種々検討を重ねた結果、暦をハガキに印刷しておけば一年を通じて利用し得ることを見出し、本考案をなすに至った。以下、本考案のハガキを図に基づいて説明する。なお、本考案はこれらの実施形態に何ら限定されるものではない。
【０００９】
図１は、本発明のハガキの一実施形態を示す図であって、同図（ａ）はハガキＰの表面（宛名書き面）１、同図（ｂ）は裏面（反対側面）２である。同図（ａ）から明らかなように、図１のハガキＰの表面１は通常のものと変わりはない。このハガキＰでは切手を貼るようになっているが、年賀ハガキや官製ハガキのように当初から切手部分が印刷されているものであってももちろん構わない。また、この実施形態では長方形状のハガキを縦長方向で使用しているが、横長方向で使用しても構わない。
【００１０】
一方、図１のハガキＰの裏面２には暦２１を印刷する。暦２１は裏面２のどの部分に印刷してもよいが、装飾性や美観の点からは図のような裏面２の外周部に印刷するのが好ましい。そして、暦２１で囲まれた中央部に絵柄２２を印刷するとよい。ここで印刷する絵柄２２としては、イラストや絵画、写真などが挙げられ、例えば暦の年の干支としてもよい。図１のハガキＰでは、印刷されている暦２１が西暦２００４年のものであるので、その年の干支である申（さる）が中央部に描かれている。なお本考案における印刷には、インクやトナーによる印刷の他、接着剤による貼着も含まれるものとする。また、印刷された暦２１がいつの年ものかわかるように、西暦（例えば２００４年、’０４年）や元号（例えば平成１６年）をハガキＰの裏面２に暦２１と共に印刷しておくことが推奨される。
【００１１】
暦２１は、１年間全部が印刷されている必要はなく、例えば暑中見舞いのハガキであれば送付した月から１２月までが少なくとも印刷されていればよい。もちろん年賀状の場合には、１年間全部が印刷されているのがよい。また、暦２１は、始期を１月、終期を１２月とする必要は必ずしもなく、本考案のハガキを送る人又は受け取る人の利便性を考慮し、例えば４月から次年３月までの１年間としても構わない。
【００１２】
暦の日にちは、月ごとに月曜日から日曜日に分けて印刷するのが好ましい。また日・祝日と平日とを色分けして印刷すると、暦が見やすくなり利便性が向上する。例えば日・祝日を赤色、平日を黒色とすればよい。
【００１３】
図２に、本考案のハガキの他の実施形態を示す。図２のハガキＰ’では、ハガキＰ’の下部にミシン目５ａとミシン目５ｂ、山折り線６ａ、山折り線６ｂ、谷折り線７が施されている。これは、ハガキＰ’を受け取った人などが、ハガキＰ’の裏面２に印刷された暦２１を利用しようとハガキＰ’を卓上に起立状態に載置する場合に、ハガキ自体で起立状態を保持できるようにしたものである。すなわち、ハガキＰ’の下部のミシン目５ａ，５ｂを切断して３つの切片３ａ，３ｂ，４を成形し、山折り線６ａ，６ｂおよび谷折り線７に合わせて切片３ａ，３ｂ，４をそれぞれ折り曲げる。すると、図３に示すように、ハガキＰ’は卓上に起立状態に載置可能となる。
【００１４】
図４に、本考案のハガキのさらに他の実施形態を示す。ハガキ自体で起立状態を保持できるようにするため、図４のハガキＰ”では、ハガキＰ”の下端部８を切り離し可能とし、切り離した下端部８を支持部材として用いる。すなわち、ハガキＰ”の下部にハガキの下辺に平行にミシン目５が施され、このミシン目５から下方に向けて、所定長さの２つの切り込み８１ａ，８１ｂが短手方向に離隔して形成されている。ハガキＰ”を起立状態で保持する場合には、まずハガキＰ”の下端部８をミシン目５から切断する。次に、切断した下端部８を山折り線８２で折り曲げ、平面視において略”く”字状にする。そして、下端部８に形成された切り込み８１ａ，８１ｂが上側となるように下端部８を配置し、この切り込み８１ａ，８１ｂにハガキＰ”の下端を差し込む。これによりハガキＰ”は起立状態で保持される。図５に、起立状態に保持されているハガキＰ”の斜視図を示す。
【図面の簡単な説明】
【００１５】
【図１】本考案に係るハガキの一実施形態を示す図である。
【図２】本考案に係るハガキの他の実施形態を示す図である。
【図３】図２のハガキを起立状態としたときの斜視図である。
【図４】本考案に係るハガキのさらに他の実施形態を示す斜視図である。
【図５】図４のハガキを起立状態としたときの斜視図である。
【符号の説明】
【００１６】
１    表面（宛名書き面）
２    裏面（反対側面）
３ａ，３ｂ，４  切片
５，５ａ，５ｂ  ミシン目
６ａ，６ｂ  山折り線
７  谷折り線
８  下端部
Ｐ，Ｐ’，Ｐ”  ハガキ
２１    暦
２２    絵柄
８１ａ，８１ｂ  切り込み
８２  山折り線
【図１】
0003101591.tif 000003
【図２】
0003101591.tif 000004
【図３】
0003101591.tif 000005
【図４】
0003101591.tif 000006
【図５】
0003101591.tif 000007